(57)【要約】【課題】  筐体に内蔵されたＣＰＵ、ハードディスクドライブ、電源部から生じた熱が筐体の内部に滞留することを防止する。【解決手段】  吸気口２９からＣＰＵを経由して第１の排気口２８へ至る流路３１と、吸気口２９からハードディスクドライブ２２を経由して第２の排気口３３へ至る流路３４と、吸気口２９から電源部２６を経由して第３の排気口３６へ至る流路３７とを壁材１５，１６によって形成し、各流路３１，３４，３７に送風機２７，３２，３５を設けた。【選択図】    図２
2006092457.tif 000002
【特許請求の範囲】
【請求項１】
筐体の内部にＣＰＵ（Central Processing Unit）、ハードディスクドライブ、電源部が配置された電気電子機器において、
前記筐体に形成された吸気口と、
前記筐体に形成された第１ないし第３の排気口と、
前記吸気口から前記ＣＰＵを経由して前記第１の排気口へ至る流路と前記吸気口から前記ハードディスクドライブを経由して前記第２の排気口へ至る流路と前記吸気口から前記電源部を経由して前記第３の排気口へ至る流路とを前記筐体の内部に形成している壁材と、
前記各流路に配置され、配置された前記流路に対応する前記排気口に向けて送風する送風機と、
を備えることを特徴とする電気電子機器。
【請求項２】
前記電源部は、複数に分割されており、そのうちの一つは、前記吸気口から前記ハードディスクドライブを経由して前記第２の排気口へ至る前記流路中に配置されていることを特徴とする請求項１記載の電気電子機器。
【発明の詳細な説明】
【技術分野】
【０００１】
本発明は、電気電子機器に関する。
【背景技術】
【０００２】
従来、ＣＰＵ、ハードディスクドライブ、電源部を備えるＰＯＳ（Point Of Sales）端末やＥＣＲ（Electronic Cash Register：電子式キャッシュレジスタ）等の電気電子機器がある。
【０００３】
この種の電気電子機器では、ＣＰＵ、ハードディスクドライブ、電源部が単一の筐体の内部に配置されているものが広く普及している。
【０００４】
【特許文献１】特開平４−１０２１１１号公報
【発明の開示】
【発明が解決しようとする課題】
【０００５】
ＣＰＵ、ハードディスクドライブ、電源部は、動作することで発熱する。ＣＰＵ、ハードディスクドライブ、電源部から発生した熱が筐体の内部に滞留すると、各部に異常が発生するおそれが有り問題である。これの対策としては、筐体の内部にファンを設けて排気を行うことにより排熱する方法があるが、最近では、ＣＰＵの高性能化に伴いＣＰＵの発熱量が増大しており、単にファンを設けただけでは、やはり熱が筐体の内部に滞留してしまう。
【０００６】
特許文献１には、電子写真装置において各ユニットの発熱する熱が互いに悪影響を与えないようにする技術が開示されているが、上記の問題の解決を図ったものではない。
【０００７】
本発明の目的は、筐体に内蔵されたＣＰＵ、ハードディスクドライブ、電源部から生じた熱が筐体の内部に滞留することを防止することである。
【課題を解決するための手段】
【０００８】
本発明は、筐体の内部にＣＰＵ（Central Processing Unit）、ハードディスクドライブ、電源部が配置された電気電子機器において、前記筐体に形成された吸気口と、前記筐体に形成された第１ないし第３の排気口と、前記吸気口から前記ＣＰＵを経由して前記第１の排気口へ至る流路と前記吸気口から前記ハードディスクドライブを経由して前記第２の排気口へ至る流路と前記吸気口から前記電源部を経由して前記第３の排気口へ至る流路とを前記筐体の内部に形成している壁材と、前記各流路に配置され、配置された前記流路に対応する前記排気口に向けて送風する送風機と、を備えることを特徴とする。
【発明の効果】
【０００９】
本発明によれば、筐体に内蔵されたＣＰＵ、ハードディスクドライブ、電源部から生じた熱が筐体の内部に滞留することを防止することができる。
【発明を実施するための最良の形態】
【００１０】
本発明の一実施の形態を図面に基づいて説明する。
【００１１】
図１は、本実施の形態の電気電子機器であるＰＯＳ端末１を示すブロック図である。図１に示すように、ＰＯＳ端末１は、制御ユニット２を備えている。制御ユニット２の上面には、前側から後側に向かって、キーボード３、キャッシャ用表示器４、客用表示器５が順に配置されている。また、制御ユニット２の上面におけるキャッシャ用表示器４の左側には、サーマルプリンタ６が配置されている。さらに、制御ユニット２には、図示しないバーコードスキャナ及びドロワが接続されている。このＰＯＳ端末１は、例えばドロワの上に設置される。
【００１２】
図２は、制御ユニット２を示す水平断面図である。制御ユニット２の筐体１１の内部は、第１ないし第３の区画１２，１３，１４に仕切られている。第１の区画１２は、筐体１１の内部の右奥、第２の区画１３は、第１の区画１２の手前側、第３の区画１４は、第１及び第２の区画１２，１３の左側に位置している。第１の区画１２と第２の区画１３との間は、第１の壁材１５によって仕切られており、第１及び第２の区画１２，１３と第３の区画１４との間は、第２の壁材１６によって仕切られている。
【００１３】
第１の区画１２の内部を説明する。第１の区画１２には、エンジンボード１７が設けられている。このエンジンボード１７には、各部の駆動制御や各種の演算を実行する図示しないマイクロコンピュータが搭載されている。マイクロコンピュータは、ＣＰＵ（Central Processing Unit）に、アドレスバス、データバス等のバスラインを介して、起動プログラム等の固定的データを予め格納するＲＯＭ（Read Only Memory）、売上バッファや印字バッファ等の各種バッファを構成して各種データを書き換え自在に格納するＲＡＭ（Random Access Memory）等が接続されて構成されている。
【００１４】
このマイクロコンピュータには、前述したキーボード３、キャッシャ用表示器４、客用表示器５、サーマルプリンタ６、バーコードスキャナ、ドロワがＩ／Ｏボード１８を介して接続されている。Ｉ／Ｏボード１８は、エンジンボード１７の上方に配置され、ライザボード１９を介して、エンジンボード１７のマイクロコンピュータに接続されている。また、エンジンボード１７には、ライザボード１９を介してＰＣＩ（Peripheral Component Interconnect）ボード２０も接続されている。このＰＣＩボード２０は、エンジンボード１７の上方に配置されている。
【００１５】
ライザボード１９は、仕切り板金２１と一体化されて第２の壁材１６を構成している。
【００１６】
第２の区画１３の内部を説明する。第２の区画１３には、ハードディスクドライブ（以下、ＨＤＤ２２と言う）２２が設けられている。このＨＤＤ２２は、ＨＤＤ２２の取付板金である第１の壁材１５に取り付けられている。ＨＤＤ２２は、マイクロコンピュータに接続されて、マイクロコンピュータの制御を受けて動作する。ＨＤＤ２２には、マイクロコンピュータを動作させるコンピュータプログラムの他に、商品マスタファイル、ジャーナルファイル等が格納されている。商品マスタファイルは、商品コードに対応付けて商品名や単価などを記憶するファイルである。ジャーナルファイルは、売上データとして売上明細や売上金額等のジャーナルデータを取引番号に対応付けして記憶するファイルである。
【００１７】
ＨＤＤ２２に格納されたコンピュータプログラムは、ＰＯＳ端末１の起動時に商品マスタファイル等の各種ファイルとともにＲＡＭに展開され、これによってマイクロコンピュータによる各部の駆動制御が可能な状態となる。
【００１８】
ＨＤＤ２２の左側には、ＤＣ−ＤＣ電源部２３が配置されている。
【００１９】
第３の区画１４の内部を説明する。第３の区画１４には、ＡＣ−ＤＣ電源部２４が設けられている。ＡＣ−ＤＣ電源部２４の手前側には、ＵＰＳ（uninterruptible power supply：無停電電源装置）２５が配置されている。これらのＡＣ−ＤＣ電源部２４とＵＰＳ（uninterruptible power supply：無停電電源装置）２５とは、ＤＣ−ＤＣ電源部２３とともに電源部２６を構成している。
【００２０】
筐体１１の排熱構造を説明する。まず、第１の区画１２に対する排熱構造を説明する。第１の区画１２には、エンジンボード１７に搭載されたマイクロコンピュータの上方に位置させた送風機である第１のファン２７が設けられている。この第１のファン２７は、下方から吸い上げた空気を右側に向けて送風する構造である。第１のファン２７の排気側は、筐体１１の右壁１１ａに対面している。筐体１１の右壁１１ａにおける第１のファン２７の排気側に対面する部位には、第１の排気口２８が形成されている。この第１の排気口２８によって第１の区画１２からの排気が可能となっている。一方、第１の区画１２への空気の流入経路であるが、まず、筐体１１の前壁１１ｂには、第２及び第３の区画１３，１４に直接連通している吸気口２９が形成されている。また、第１の区画１２と第２の区画１３とを仕切っている第１の壁材１５は、それらの間を隙間無く仕切る構造ではなく、第１の区画１２と第２の区画１３とを連通する連通口３０を形成するように設けられている。具体的には、第１の壁材１５の左端と第２の壁材１６との間には、間隔があけられており、ここに、連通口３０が形成されている。これにより、第１の区画１２は、連通口３０及び第２の区画１３の左端部を経由して吸気口２９に連通している。
【００２１】
そして、筐体１１の内部には、吸気口２９を始点として、第２の区画１３の左端部、連通口３０、ＣＰＵ、第１のファン２７を経由して、第１の排気口２８へ至る第１の流路３１が形成されている。この第１の流路３１は、第１及び第２の壁材１５，１６が筐体１１の内部に設けられていることによって実現されている。この構造では、第１のファン２７が送風動作を行うことにより、吸気口２９から吸い込まれた外気が、第１の流路３１に沿って流れ、ＣＰＵを通過して第１の排気口２８から排気される。これにより、ＣＰＵの排熱がなされる。また、第２の区画１３における第１の流路３１中には、ＤＣ−ＤＣ電源部２３が位置しており、よって、第１のファン２７が送風動作を行うことにより、ＤＣ−ＤＣ電源部２３の排熱がなされる。
【００２２】
次に第２の区画１３に対する排熱構造を説明する。第２の区画１３には、ＨＤＤ２２の右側であって筐体１１の右壁１１ａに対面する位置に位置させた送風機である第２のファン３２が設けられている。筐体１１の右壁１１ａにおける第２のファン３２に対面する部位には、第２の排気口３３が形成されている。第２のファン３２は、左側から右側に向けて送風、つまり、ＨＤＤ２２側から第２の排気口３３側へ向けて送風する。そして、筐体１１の内部には、吸気口２９を始点として、ＤＣ−ＤＣ電源部２３、ＨＤＤ２２、第２のファン３２を経由して、第２の排気口３３へ至る第２の流路３４が形成されている。第２の流路３４は、その一部が第１の流路３１と重なっている。この第２の流路３４は、第１及び第２の壁材１５，１６が筐体１１の内部に設けられることによって実現されている。この構造では、第２のファン３２が送風動作を行うことにより、吸気口２９から吸い込まれた外気が、第２の流路３４に沿って流れ、ＤＣ−ＤＣ電源部２３、ＨＤＤ２２を通過して第２の排気口３３から排気される。これにより、ＤＣ−ＤＣ電源部２３及びＨＤＤ２２の排熱がなされる。
【００２３】
次に、第３の区画１４に対する排熱構造を説明する。第３の区画１４には、ＡＣ−ＤＣ電源部２４の後側であって筐体１１の後壁１１ｃに対面する位置に位置させた送風機である第３のファン３５が設けられている。筐体１１の後壁１１ｃにおける第３のファン３５に対面する部位には、第３の排気口３６が形成されている。第３のファン３５は、前側から後側へ向かって、つまり、ＡＣ−ＤＣ電源部２４側から第３の排気口３６側へ向けて送風する。そして、筐体１１の内部には、吸気口２９を始点として、ＵＰＳ２５、ＡＣ−ＤＣ電源部２４、第３のファン３５を経由して、第３の排気口３６へ至る第３の流路３７が形成されている。この第３の流路３７は、第２の壁材１６が筐体１１の内部に設けられることによって実現されている。この構造では、第３のファン３５が送風動作を行うことにより、吸気口２９から吸い込まれた外気が、第３の流路３７に沿って流れ、ＵＰＳ２５、ＡＣ−ＤＣ電源部２４を通過して第３の排気口３６から排気される。これにより、ＵＰＳ２５及びＡＣ−ＤＣ電源部２４の排熱がなされる。
【００２４】
このような構成において、ＨＤＤ２２からＲＡＭに展開された制御プログラムがマイクロコンピュータに実行させる機能の内、商品の販売に関わる販売データ処理機能における処理動作について簡単に説明する。例えば、商品に付された商品コードをバーコードスキャナによって読み取ると、マイクロコンピュータは読み取った商品コードに基づいて商品マスタファイルを検索し、該当する商品コードに対応した商品名や単価等を読み出し、商品コード、商品名、単価等に基づいて売上登録処理するとともに、部門別登録やキャッシャ用表示器４や客用表示器５への表示、またサーマルプリンタ６により印字出力を行い、さらに売上登録した売上登録データを売上ファイルに累計する。
【００２５】
このような処理動作を含め各種の処理動作が実行されるときには、第１ないし第３のファン２７，３２，３５による送風動作が行われ、第１ないし第３の流路３１，３４，３７に沿って空気が流れる。これにより、ＣＰＵ、ＨＤＤ２２、電源部２６等から発生した熱が、筐体１１の外部へ排熱される。
【００２６】
このように、本実施の形態では、筐体１１の内部にＣＰＵ、ＨＤＤ２２、電源部２６を経由する第１ないし第３の流路３１，３４，３７を形成し、かつ、それぞれの流路３１，３４，３７に送風機であるファン２７，３２，３５を設けて排気するので、ＣＰＵ、ＨＤＤ２２、電源部２６から生じた熱が確実に筐体１１の外部に排出される。よって、ＣＰＵ、ＨＤＤ２２、電源部２６から生じた熱が筐体１１の内部に滞留することを防止することができる。
【００２７】
また、各ファン２７，３２，３５が、第１、第２又は第３の排気口２８，３３又は３６に対面して配置されていることにより、第１、第２又は第３の排気口２８，３３又は３６からの排気を確実に行うことができる。
【００２８】
また、電源部２６は、複数（ＡＣ−ＤＣ電源部２４、ＤＣ−ＤＣ電源部２３）に分割されており、そのうちの一つ（例えば、ＤＣ−ＤＣ電源部２３）は、吸気口２９からＨＤＤ２２を経由して第２の排気口３３へ至る流路である第２の流路３４中に配置されていることにより、筐体１１の内部における各部の配置の自由度が向上し、制御ユニット２の小型化を図ることができる。
【００２９】
なお、本実施の形態では、吸気口２９から第２の区画１３を介して第１の区画１２に吸気を行う例を説明したが、これに限るものではない。例えば、第１の区画１２に直接連通した吸気口を吸気口２９とは別に設けて、その吸気口から第１の区画１２に吸気する構造としてもよい。
【００３０】
また、本実施の形態では、電気電子機器としてＰＯＳ端末１を例に説明したが、これに限るものではなく、電気電子機器としては、例えばＥＣＲやパーソナルコンピュータなどであってもよい。
【図面の簡単な説明】
【００３１】
【図１】本発明の一実施の形態のＰＯＳ端末を示す外観斜視図である。
【図２】制御ユニットを示す水平断面図である。
【符号の説明】
【００３２】
１…電気電子機器、１１…筐体、１５…壁材、１６…壁材、２２…ハードディスクドライブ、２６…電源部、２７…送風機、２８…第１の排気口、２９…吸気口、３１…流路、３２…送風機、３３…第２の排気口、３４…流路、３５…送風機、３６…第３の排気口、３７…流路
【図１】
2006092457.tif 000003
【図２】
2006092457.tif 000004